(57)【要約】【課題】  打撃面における衝撃力を均一に吸収し、従来よりも一層振動力に耐えることのできると共に、バッティング・コントロールのし易い野球バットを提供する。【解決手段】  複数の縦長の竹板材を長手方向に配置して互いに貼り合わせて中心部材２１１を構成し、この中心部材を複数組み合わせて接着剤で貼り合わせて中心層１１を構成すると共に、複数枚の縦方向に長い矩形の竹板を互いに貼り合わせて衝撃力適用胴体部材２２１を構成し、この胴体部材を複数、前記中心層に貼り合わせて互いに固着し、このように形成された物体を野球バット２０の形態に加工処理して野球バットを構成したので、ボールがバットの打撃部２４に当たり、打者がボールを打撃することにより衝撃力適応胴体部材に発生した衝撃力を均一に吸収することができ、安全で効果的な野球バット構造とすることができる【選択図】      図４
0003117370.tif 000002
【実用新案登録請求の範囲】
【請求項１】
中心層と該中心層の外側に固着された包囲層とから構成される野球バットであり、
前記中心層は、複数枚の矩形の中心部材が縦長方向に同心円に配置されて、各々が垂直方向に互いに隣接して、互いに接着剤で貼り合わされて構成されており、
前記包囲層は、複数枚の衝撃力適用胴体部材を組み合わせて貼り合わせて構成されており、
前記中心層に前記包囲層を固着し、これを更に野球バットの形態に加工処理したことを特徴とする野球バット構造。
【請求項２】
前記中心層の各々の中心部材は、互いに接着されて、長方形の板状片に形作られた複数枚の縦長の竹片で形成されていることを特徴とする請求項１に記載の野球バット構造。
【請求項３】
包囲層の各々の衝撃力適用胴体部材は、互いに接着されて、長手方向に適用されるように長方形の板状に形作られた複数枚の縦長の竹板で形成されていることを特徴とする請求項１に記載の野球バット構造。
【請求項４】
前記野球バットは、その取手部が中心層構造で形成され、且つ、打撃部が中心層の外側に固着された包囲層構造で形成されるように加工処理されることを特徴とする請求項１に記載の野球バット構造。
【請求項５】
前記包囲層の衝撃力適用胴体部材は長方形の棒状板材で形成されるようにしたことを特徴とする請求項１に記載の野球バット構造。
【考案の詳細な説明】
【技術分野】
【０００１】
本考案は、野球バットに関し、更に具体的に言うと、中心層と包囲層とから構成され、投球されたボールがバットの打撃面に当たったときの衝撃力に有効に耐えることができ、ボールを所望の方向へ打ち出し易くなるように構成された野球バットに関するものである。
【背景技術】
【０００２】
従来の野球バットの構造は、図１に示すように、中心層１１と包囲層１２から成り、中心層１１は、組に配列され互いに固着された複数枚の竹片１１１から構成されるか、図２に示すように、長手方向丈寸法に配置され互いに固着された複数枚の竹片１１１’から構成されている。包囲層１２は互いに糊付けされ貼り合された複数枚の竹板から成り、中心層１１上にその長手方向丈寸法に繋ぎ合されている。そして、これが、打撃領域と取手部分を有する野球バット１０の形に更に加工されるようになる。
【０００３】
しかしながら、このような従来の野球バットの構造には幾つかの不具合がある。
第１に、中心層１１は単一方向に繋ぎ合されているので、バットの打撃効果を最高に生かすために、打者は打撃位置に対し特別に注意を払わなければならず、これが邪魔をして、打者が注意散漫になり、投球されたボールを思うような方面へ打つことができない。
第２に、中心層１１は、余分な衝撃力に効果的に耐えることができず、振動に対する抵抗力が弱いという特徴があり、これが打者にダメージを与えると共に、バットを打った時にその取手部分が折れ易くさせる。
【考案の開示】
【考案が解決しようとする課題】
【０００４】
従って、本考案の第１の目的は、中心層と包囲層とから成り、中心層は複数枚の中心部材からなり、これら中心部材が互いに垂直に隣接して共に緊密に貼り合わせられて、これにより、余分な振動力を均一に吸収するような強さを確立し、野球バット全体の耐振動能力を強化でき、これにより打者を安全に保護することができるようにした野球バットを提供することにある。そして、完成した野球バットの取手部は、力を行使したときの抵抗力が一層改善されていて、バットの破壊と損害を回避するようにしたので、本願の野球バットに融通性があり耐久性のある使い方ができるようにできる。
【０００５】
本考案の第２の目的は、包囲層は、複数枚づつ縦方向に配置されて構成された衝撃適用胴体部材が、垂直方向に互いに中心部材上に貼り合されて形成されているので、野球バットの打撃部が一層強い打撃力に耐えられるようになり、打者が思うような多方面への打撃行使を可能にする野球バットを提供することにある。
【課題を解決するための手段】
【０００６】
この出願の請求項１の考案は、中心層と該中心層の外側に固着された包囲層とから構成される野球バットであり、前記中心層は、複数枚の矩形の中心部材が縦長方向に同心円に配置されて、各々が垂直方向に互いに隣接して、互いに接着剤で貼り合わされて構成されており、前記包囲層は、複数枚の衝撃力適用胴体部材を組み合わせて貼り合わせて構成されており、前記中心層に前記包囲層を固着し、これを更に野球バットの形態に加工処理したことを特徴とする。
【０００７】
請求項２の考案は、請求項１に記載の野球バット構造において、前記中心層の各々の中心部材は、互いに接着されて、長方形の板状片に形作られた複数枚の縦長の竹片で形成されていることを特徴とする。
請求項３の考案は、請求項１に記載の野球バット構造において、包囲層の各々の衝撃力適用胴体部材は、互いに接着されて、長手方向に適用されるように長方形の板状に形作られた複数枚の縦長の竹板で形成されていることを特徴とする。
請求項４の考案は、請求項１に記載の野球バット構造において、前記野球バットは、その取手部が中心層構造で形成され、且つ、打撃部が中心層の外側に固着された包囲層構造で形成されるように加工処理されることを特徴とする。
請求項５の考案は、請求項１に記載の野球バット構造において、前記包囲層の衝撃力適用胴体部材は長方形の棒状板材で形成されるようにしたことを特徴とする。
【考案の効果】
【０００８】
本願の野球バットは、複数枚の竹板を張り合わせた中心部材を複数本組み合わせて互いに張り合わせて中心層を形成してあるので、振動力を均一に効果的に吸収し、野球バットの耐振性を向上させたので、これにより、強い打撃力を受けたときにバットが上手に衝撃力を吸収することでその破壊を招き難くさせ、打者に危険が及ばないようにすると共に、バットそのものの寿命も延ばすことができる。
また、本願の野球バットの中心層の上には、複数枚づつ貼り合わされた衝撃適用胴体部材が、それぞれ、中心層を形成する複数の中心部材の上に接着剤で固着されて、野球バットの形に加工処理されるようになっているので、打撃部が非常に強いバットの打撃力に耐えられるために、バッティング・コントロールがし易く、思う方向にボールを打ち出せることが可能となり、バットの性能を向上することができる。
【考案を実施するための最良の形態】
【０００９】
以下、本考案の一実施形態について、図面を参照して説明する。
図３は本考案の野球バットの完成品の一部分の斜視図で、図４は本願野球バットを横にした状態で長手方向に取った断面図、図５は本願の野球バットの底面図、図６は本考案の別の実施例の野球バットの完成品の一部分の斜視図で、図７は図６の野球バットの底面図である。
【実施例１】
【００１０】
本願の野球バットの実施例１を図３および図４に示す。本願の野球バット２０の構造は、中心層２１と包囲層２２とから構成される。
中心層２１は、複数枚の矩形の竹片２１１１を接着剤で固着して棒状に形成した中心部材２１１が、複数個、縦長に同心円に配置され、互いに垂直に隣接し合うようにして張り合わされて、構成されたものである。
包囲層２２は、複数の竹板２２１１が接着剤で互いに張合わされて板状に形成された衝撃力適用胴体部材２２１を複数用いて形成されたものである。
【００１１】
本願の野球バット２０を形成する工程を説明する。
複数の衝撃力適用胴体部材２２１を縦長に配列して、中心層２１上に接着剤で固定してできた物品を、取手部２３と打撃部２４を有する野球バット２０の形態に加工すると、これにより、取手部２３（図５参照）の部分には中心層２１の構造が配備され、他の部分には、中心層２１の外側に固着された包囲層２２の構造が備わるようにすることができる。
【００１２】
実際に使用する場合、投球された物体が野球バット２０の打撃部２４と接触して、それによって衝撃力が発生されると、縦長に配置された衝撃力適用部材２２１によって形成される圧力により、打撃部２３が従来よりももっと強い打撃力に耐えることができ、打者が思う方向へどこにでも野球バット２０でボールを打ち出すのが簡単にできるようになる。
また、垂直に複数枚配置されて、共に固着された中心部材２１１が、余分な振動力を均一に吸収する力を構築することができるので、全体として野球バット２０の耐振動能力を強化し、これによって打者が保護される。
【００１３】
更にまた、バットを破壊する危険を回避するために、中心層構造を有する取手部２４には従来よりも一層優れた抵抗力が備えられるので、力が加わったときに、打撃者は所望の方向に自由に野球ボールを打ち出すことができ、効果的なバッテイング・コントロールを得ることができる。
【実施例２】
【００１４】
図６及び図７に他の野球バットの実施例を示す。この実施例では、包囲層２２を構成する衝撃力適用胴体部材２２１は、複数枚の矩形の板状の木材２２１２を使用し、これら複数本の木材２２１２を前述の実施例１に開示した中心層の上に接着剤で貼り合わせて固着し、これを野球バットの形態に加工したものである。木材２２１２には元々優れた強さが備わっていて、これにより野球バットを強化することができる。
【図面の簡単な説明】
【００１５】
【図１】従来の野球バットの完成品の斜視図である。
【図２】別の従来の野球バットの底面図である。
【図３】本考案の野球バットの完成品の一部分の斜視図である。
【図４】本願野球バットを横にした状態で長手方向に取った断面図である。
【図５】本願の野球バットの底面図である。
【図６】本考案の別の実施例の野球バットの完成品の一部分の斜視図である。
【図７】図６の野球バットの底面図である。
【符号の説明】
【００１６】
２０        野球バット
２１        中心層
２１１      中心部材
２２        包囲層
２２１      衝撃力適用胴体部材
２２１１    竹板
２３        取手部
２４        打撃部
【図１】
0003117370.tif 000003
【図２】
0003117370.tif 000004
【図３】
0003117370.tif 000005
【図４】
0003117370.tif 000006
【図５】
0003117370.tif 000007
【図６】
0003117370.tif 000008
【図７】
0003117370.tif 000009